【手続補正書】
【提出日】平成17年2月4日(2005.2.4)
【手続補正１】
【補正対象書類名】明細書
【補正対象項目名】特許請求の範囲
【補正方法】変更
【補正の内容】
【特許請求の範囲】
【請求項１】
第１の画像から第２の画像を生成する画像処理装置であって、
前記第１の画像を受信する受信手段と、
前記第１の画像の動きに対応した位置に画素を想定することにより、前記第２の画像を生成する想定手段と
を備えることを特徴とする画像処理装置。
【請求項２】
前記第１の画像の動きを検出する動き検出手段をさらに備え、
前記想定手段は、前記動き検出手段によって検出された前記第１の画像の動きに対応した位置に画素を想定することにより、前記第２の画像を生成する
ことを特徴とする請求項１に記載の画像処理装置。
【請求項３】
前記第２の画像は、前記第１の画像よりも解像度の高いものである
ことを特徴とする請求項１に記載の画像処理装置。
【請求項４】
前記第２の画像は、前記第１の画像よりも画素数の多いものである
ことを特徴とする請求項１に記載の画像処理装置。
【請求項５】
前記想定手段は、前記第１の画像の動きに対応した位置に画素を想定することにより、前記第１の画像より、垂直方向の画素数の多い前記第２の画像を生成する
ことを特徴とする請求項４に記載の画像処理装置。
【請求項６】
前記動き検出手段は、前記第１の画像の動きを、その第１の画像を構成する画素より細かい単位で検出し、
前記想定手段は、
前記第１の画像を記憶する、前記第１の画像の１画面分より多い記憶容量の画像記憶手段と、
前記画像記憶手段に前記第１の画像を書き込むときのアドレスを、その第１の画像の動きに基づいて制御するとともに、前記画像記憶手段の記憶値の読み出しを制御する制御手段と
を有する
ことを特徴とする請求項２に記載の画像処理装置。
【請求項７】
前記制御手段は、前記画像記憶手段の記憶値を、前記第２の画像の画素として読み出す
ことを特徴とする請求項６に記載の画像処理装置。
【請求項８】
前記第１の画像のシーンチェンジを検出するシーンチェンジ検出手段と、
前記第１の画像に、シーンチェンジが生じたときに、前記画像記憶手段の記憶値をクリアするクリア手段と
をさらに備えることを特徴とする請求項６に記載の画像処理装置。
【請求項９】
前記第２の画像をフィルタリングするフィルタ手段をさらに備える
ことを特徴とする請求項１または６のうちのいずれかに記載の画像処理装置。
【請求項１０】
前記第２の画像をフィルタリングするフィルタ手段と、
前記フィルタ手段によってフィルタリングされた前記第２の画像を、前記第１の画像と同一の画素数にして出力する出力手段と
をさらに備えることを特徴とする請求項３または６のうちのいずれかに記載の画像処理装置。
【請求項１１】
前記画像記憶手段のアドレスのうち、前記第１の画像の画素が記憶されていないものを検出するアドレス検出手段と、
前記アドレス検出手段によって検出された前記画像記憶手段のアドレスに対応する前記第２の画像の画素を生成する生成手段と
をさらに備えることを特徴とする請求項６に記載の画像処理装置。
【請求項１２】
前記アドレス検出手段は、前記画像記憶手段のアドレスに、前記第１の画像の画素が書き込まれたときに、その旨を表すフラグが、対応するアドレスに書き込まれる、前記フラグを記憶するフラグ記憶手段を有する
ことを特徴とする請求項１１に記載の画像処理装置。
【請求項１３】
前記生成手段は、前記アドレス検出手段によって検出された前記画像記憶手段のアドレスに対応する前記第２の画像の画素を、前記画像記憶手段に記憶されている前記第１の画像の画素を用いて補間を行うことにより生成する
ことを特徴とする請求項１１に記載の画像処理装置。
【請求項１４】
前記生成手段は、
前記アドレス検出手段によって検出された前記画像記憶手段のアドレスに対応する前記第２の画像の画素を、前記画像記憶手段に記憶されている前記第１の画像の画素の性質に応じて、所定のクラスに分類するクラス分類手段と、
前記クラスごとに、所定の予測係数を記憶している予測係数記憶手段と、
前記アドレス検出手段によって検出された前記画像記憶手段のアドレスに対応する前記第２の画像の画素のクラスに対応する前記予測係数と、前記画像記憶手段に記憶されている前記第１の画像の画素とを用いて所定の演算を行うことにより、前記アドレス検出手段によって検出された前記画像記憶手段のアドレスに対応する前記第２の画像の画素を求める演算手段と
を有する
ことを特徴とする請求項１１に記載の画像処理装置。
【請求項１５】
前記予測係数は、学習用の前記第２の画像を用いて学習を行うことにより求められたものである
ことを特徴とする請求項１４に記載の画像処理装置。
【請求項１６】
前記第１の画像を複数の領域に分割する領域分割手段と、  前記第１の画像の複数の領域それぞれに対応する前記第２の画像の複数の領域を合成することにより、前記第２の画像を生成する合成手段と
をさらに備え、
前記想定手段は、前記第１の画像の動きに対応した位置に画素を想定することにより、前記第１の画像の複数の領域それぞれに対応する前記第２の画像の複数の領域を求める
ことを特徴とする請求項１に記載の画像処理装置。
【請求項１７】
前記第１の画像の複数の領域それぞれの動きを検出する動き検出手段をさらに備え、
前記想定手段は、前記動き検出手段によって検出された前記第１の画像の複数の領域それぞれの動きに対応した位置に画素を想定することにより、前記第２の画像の複数の領域それぞれを求める
ことを特徴とする請求項１６に記載の画像処理装置。
【請求項１８】
前記第２の画像は、前記第１の画像よりも解像度の高いものである
ことを特徴とする請求項１６に記載の画像処理装置。
【請求項１９】
前記第２の画像は、前記第１の画像よりも画素数の多いものである
ことを特徴とする請求項１６に記載の画像処理装置。
【請求項２０】
前記想定手段は、前記第１の画像の動きに対応した位置に画素を想定することにより、前記第１の画像の複数の領域それぞれより、垂直方向の画素数の多い前記第２の画像の複数の領域それぞれを求める
ことを特徴とする請求項１９に記載の画像処理装置。
【請求項２１】
前記動き検出手段は、前記第１の画像の複数の領域それぞれの動きを、その第１の画像を構成する画素より細かい単位で検出し、
前記想定手段は、
前記第１の画像の複数の領域をそれぞれ記憶する、前記第１の画像の複数の領域それぞれの１画面分より多い記憶容量の複数の画像記憶手段と、
前記複数の画像記憶手段それぞれに、前記第１の画像の複数の領域それぞれを書き込むときのアドレスを、その第１の画像の複数の領域それぞれの動きに基づいて制御するとともに、前記複数の画像記憶手段の記憶値の読み出しを制御する制御手段と
を有する
ことを特徴とする請求項１７に記載の画像処理装置。
【請求項２２】
前記制御手段は、前記複数の画像記憶手段の記憶値を、前記第２の画像の複数の領域を構成する画素として、それぞれ読み出す
ことを特徴とする請求項２１に記載の画像処理装置。
【請求項２３】
前記第１の画像のシーンチェンジを検出するシーンチェンジ検出手段と、
前記第１の画像に、シーンチェンジが生じたときに、前記複数の画像記憶手段の記憶値をクリアするクリア手段と
をさらに備えることを特徴とする請求項２１に記載の画像処理装置。
【請求項２４】
前記第２の画像をフィルタリングするフィルタ手段をさらに備える
ことを特徴とする請求項１６または２３のうちのいずれかに記載の画像処理装置。
【請求項２５】
前記第２の画像をフィルタリングするフィルタ手段と、
前記フィルタ手段によってフィルタリングされた前記第２の画像を、前記第１の画像と同一の画素数にして出力する出力手段と
をさらに備えることを特徴とする請求項１８または２３のうちのいずれかに記載の画像処理装置。
【請求項２６】
前記画像記憶手段のアドレスのうち、前記第１の画像の画素が記憶されていないものを検出するアドレス検出手段と、
前記アドレス検出手段によって検出された前記画像記憶手段のアドレスに対応する前記第２の画像の画素を生成する生成手段と
をさらに備えることを特徴とする請求項２１に記載の画像処理装置。
【請求項２７】
前記アドレス検出手段は、前記画像記憶手段のアドレスに、前記第１の画像の画素が書き込まれたときに、その旨を表すフラグが、対応するアドレスに書き込まれる、前記フラグを記憶するフラグ記憶手段を有する
ことを特徴とする請求項２６に記載の画像処理装置。
【請求項２８】
前記生成手段は、前記アドレス検出手段によって検出された前記画像記憶手段のアドレスに対応する前記第２の画像の画素を、前記画像記憶手段に記憶されている前記第１の画像の画素を用いて補間を行うことにより生成する
ことを特徴とする請求項２６に記載の画像処理装置。
【請求項２９】
前記生成手段は、
前記アドレス検出手段によって検出された前記画像記憶手段のアドレスに対応する前記第２の画像の画素を、前記画像記憶手段に記憶されている前記第１の画像の画素の性質に応じて、所定のクラスに分類するクラス分類手段と、
前記クラスごとに、所定の予測係数を記憶している予測係数記憶手段と、
前記アドレス検出手段によって検出された前記画像記憶手段のアドレスに対応する前記第２の画像の画素のクラスに対応する前記予測係数と、前記画像記憶手段に記憶されている前記第１の画像の画素とを用いて所定の演算を行うことにより、前記アドレス検出手段によって検出された前記画像記憶手段のアドレスに対応する前記第２の画像の画素を求める演算手段と
を有する
ことを特徴とする請求項２６に記載の画像処理装置。
【請求項３０】
前記予測係数は、学習用の前記第２の画像を用いて学習を行うことにより求められたものである
ことを特徴とする請求項２９に記載の画像処理装置。
【請求項３１】
第１の画像から第２の画像を生成する画像処理装置の画像処理方法であって、
前記第１の画像を受信する受信ステップと、
前記第１の画像の動きに対応した位置に画素を想定することにより、前記第２の画像を生成する想定ステップと
を備えることを特徴とする画像処理方法。
【手続補正２】
【補正対象書類名】明細書
【補正対象項目名】０００２
【補正方法】変更
【補正の内容】
【０００２】
【従来の技術】
例えば、テレビジョン受像機で受信された画像や、ＶＴＲ（Video Tape Recorder）、ビデオＣＤ（Compact Disc）プレーヤ、ＤＶＤ（Digital Versatile Disc）プレーヤで再生された画像などは、図２６に示すように、左から右方向に走査が繰り返されることにより、例えば、ＣＲＴ（Cathode Ray Tube）などに表示される。
【手続補正３】
【補正対象書類名】明細書
【補正対象項目名】００３５
【補正方法】削除
【補正の内容】
【手続補正４】
【補正対象書類名】明細書
【補正対象項目名】００３６
【補正方法】削除
【補正の内容】
【手続補正５】
【補正対象書類名】明細書
【補正対象項目名】００３７
【補正方法】削除
【補正の内容】
【手続補正６】
【補正対象書類名】明細書
【補正対象項目名】００３８
【補正方法】削除
【補正の内容】
【手続補正７】
【補正対象書類名】明細書
【補正対象項目名】００３９
【補正方法】削除
【補正の内容】
【手続補正８】
【補正対象書類名】明細書
【補正対象項目名】００４０
【補正方法】削除
【補正の内容】
【手続補正９】
【補正対象書類名】明細書
【補正対象項目名】００４６
【補正方法】変更
【補正の内容】
【００４６】
ここで、図示していないが、チューナ１とＬＰＦ２との間、または歪み補正部４とＤ／Ａ変換器５との間には、例えば、Ｙ／Ｃ分離その他の必要な画像処理を行う回路が設けられている。なお、Ａ／Ｄ変換器３では、そこに、Ｙ／Ｃ分離前のコンポジット信号が入力される場合には、例えば、サブキャリアの周波数で、また、Ｙ／Ｃ分離後の信号が入力される場合には、例えば、１３．５ＭＨｚなどで、それぞれサンプリングが行われる。
【手続補正１０】
【補正対象書類名】明細書
【補正対象項目名】０１９０
【補正方法】変更
【補正の内容】
【０１９０】
そこで、クラス分類を行う前の前処理として、クラスタップには、それを構成するＳＤ画素のビット数を低減するための処理である、例えばＡＤＲＣ（Adaptive Dynamic Range Coding）処理などが施される。
【手続補正１１】
【補正対象書類名】明細書
【補正対象項目名】０１９１
【補正方法】変更
【補正の内容】
【０１９１】
即ち、ＡＤＲＣ処理では、まず、処理ブロックを構成する９個のＳＤ画素から、その画素値の最大のもの（以下、適宜、最大画素という）と最小のもの（以下、適宜、最小画素という）とが検出される。そして、最大画素の画素値ＭＡＸと最小画素の画素値ＭＩＮとの差分ＤＲ（＝ＭＡＸ−ＭＩＮ）が演算され、このＤＲを処理ブロックの局所的なダイナミックレンジとし、このダイナミックレンジＤＲに基づいて、処理ブロックを構成する各画素値が、元の割当ビット数より少ないＫビットに再量子化される。つまり、処理ブロックを構成する各画素値から最小画素の画素値ＭＩＮが減算され、各減算値が、ＤＲ／２Kで除算される。